(57)【要約】  ワイヤレス通信ネットワークにおいてワイヤレスデバイスを動作させるための方法が開示される。当該方法は、上記ワイヤレスデバイスにより、上記ワイヤレス通信ネットワークへレポートを送信するためのレポーティング時間ウィンドウを構成することと、上記ワイヤレスデバイスにより、上記ワイヤレスデバイスから上記ワイヤレス通信ネットワークへのデータ送信が上記レポーティング時間ウィンドウ内の送信時間向けにスケジューリングされるかを判定することと、上記レポーティング時間ウィンドウ内の送信時間向けにスケジューリングされると判定される場合に、スケジューリングされる上記データ送信と共に上記レポートを送信することと、を含む。対応する方法及びデバイスもまた開示される。【選択図】図５
2017536739.tif 000002
【特許請求の範囲】
【請求項１】
ワイヤレス通信ネットワークにおいてワイヤレスデバイス（１０，１２）を動作させるための方法であって、
前記ワイヤレスデバイス（１０，１２）により、前記ワイヤレス通信ネットワークへレポートを送信するためのレポーティング時間ウィンドウを構成すること（Ｓ１０）と、
前記ワイヤレスデバイス（１０，１２）により、前記ワイヤレスデバイス（１０，１２）から前記ワイヤレス通信ネットワークへのデータ送信が前記レポーティング時間ウィンドウ内の送信時間向けにスケジューリングされるかを判定すること（Ｓ１２）と、
前記レポーティング時間ウィンドウ内の送信時間向けにスケジューリングされると判定される場合に、スケジューリングされる前記データ送信と共に前記レポートを送信すること（Ｓ１４）と、
を含む方法。
【請求項２】
前記方法は、前記レポーティング時間ウィンドウ内の送信時間向けにデータ送信がスケジューリングされていないと判定される場合に、前記レポーティング時間ウィンドウの終了時又は終了後に前記レポートを送信すること、を含む、請求項１に記載の方法。
【請求項３】
前記方法は、前記レポートの基礎となるデータを測定するための測定時間を構成すること、を含む、請求項１に記載の方法。
【請求項４】
ワイヤレス通信ネットワークのためのワイヤレスデバイス（１０，１２）であって、前記ワイヤレスデバイス（１０，１２）は、前記ワイヤレス通信ネットワークへレポートを送信するためのレポーティング時間ウィンドウを構成するために適合され、
前記ワイヤレスデバイス（１０，１２）は、
前記ワイヤレスデバイスから前記ワイヤレス通信ネットワークへのデータ送信が前記レポーティング時間ウィンドウ内の送信時間向けにスケジューリングされるかを判定し、
前記レポーティング時間ウィンドウ内の送信時間向けにスケジューリングされると判定される場合に、スケジューリングされる前記データ送信と共に前記レポートを送信する、
ためにさらに適合される、ワイヤレスデバイス。
【請求項５】
前記レポーティング時間ウィンドウ内の送信時間向けにデータ送信がスケジューリングされていないと判定される場合に、前記レポーティング時間ウィンドウの終了時又は終了後に前記レポートを送信する、ためにさらに適合される、請求項４に記載のワイヤレスデバイス。
【請求項６】
前記ワイヤレスデバイス（１０，１２）は、前記レポートの基礎となるデータを測定するための測定時間を構成する、ためにさらに適合される、請求項４又は請求項５に記載のワイヤレスデバイス。
【請求項７】
ワイヤレス通信ネットワークにおいてネットワークノードを動作させるための方法であって、
前記ネットワークノードへ接続され又は接続可能なワイヤレスデバイス（１０，１２）を、レポートを送信するためのレポーティング時間ウィンドウと共に構成すること、
を含む方法。
【請求項８】
ワイヤレス通信ネットワークのためのネットワークノードであって、
前記ネットワークノード（１００）へ接続され又は接続可能なワイヤレスデバイス（１０，１２）を、レポートを送信するためのレポーティング時間ウィンドウと共に構成する、ために適合されるネットワークノード（１００）。
【請求項９】
制御回路（２０，１２０）により実行可能なコードであって、前記制御回路（２０，１２０）に請求項１〜３又は請求項７のいずれか１項に記載の方法を実行させ及び／又は制御させる前記コード、を含むプログラムプロダクト。
【請求項１０】
請求項９に記載のプログラムプロダクト、並びに／又は、
制御回路（２０，１２０）により実行可能なコードであって、前記制御回路（２０，１２０）に請求項１〜３又は請求項７のいずれか１項に記載の方法を実行させ及び／若しくは制御させる前記コード、を担持する担体。
【発明の詳細な説明】
【技術分野】
【０００１】
本開示は、ワイヤレスデバイスによるワイヤレス通信ネットワークへのレポーティングに関する。
【背景技術】
【０００２】
多くのアプリケーションについて、ユーザ機器などのワイヤレスデバイスは、ネットワークへデータを伝送し、又は例えば測定レポートといったレポートを伝送する。多くのケースにおいて、レポートは、タイムクリティカルであり、及び／又は、例えば電力制御向けのもののように周期的である。多くの他のケースにおいて、そうしたレポートは、例えば、ワイヤレスデバイスが他のワイヤレスデバイスとのＤ２Ｄ通信に参加する場合、それほどタイムクリティカルではなく、周期的でもないかもしれない。そうしたケースでは、ワイヤレスデバイスは、例えば請求目的のために、Ｄ２Ｄ通信に関して測定及び／又は情報の決定を行い、より遅い時点でそれをネットワークへ伝送し得る。留意すべきこととして、Ｄ２Ｄ通信は、ワイヤレスデバイスがセルラーネットワーク又はセルによりカバーされないケースでさえも実行されてよく、そのようにして、準備されるいかなるレポートも、ネットワークとのコンタクトが再確立された際に送信されなければならないであろう。
【発明の概要】
【０００３】
本開示は、ネットワークへのレポートを行うことを意図するワイヤレスデバイスのより柔軟かつリソース効率的な動作を可能とするアプローチ及びデバイスについて議論する。
【０００４】
ワイヤレス通信ネットワークにおいてワイヤレスデバイスを動作させるための方法が説明される。上記方法は、上記ワイヤレスデバイスにより、上記ワイヤレス通信ネットワークへレポートを送信するためのレポーティング時間ウィンドウを構成することと、上記ワイヤレスデバイスにより、上記ワイヤレスデバイスから上記ワイヤレス通信ネットワークへのデータ送信が上記レポーティング時間ウィンドウ内の送信時間向けにスケジューリングされるかを判定することと、を含む。上記方法は、上記レポーティング時間ウィンドウ内の送信時間向けにスケジューリングされると判定される場合に、スケジューリングされる上記データ送信と共に上記レポートを送信すること、をも含む。
【０００５】
ワイヤレス通信ネットワークのためのワイヤレスデバイスもまた開示される。上記ワイヤレスデバイスは、上記ワイヤレス通信ネットワークへレポートを送信するためのレポーティング時間ウィンドウを構成するために適合され、及び／又はそのための構成モジュールを備える。上記ワイヤレスデバイスは、さらに、上記ワイヤレスデバイスから上記ワイヤレス通信ネットワークへのデータ送信が上記レポーティング時間ウィンドウ内の送信時間向けにスケジューリングされるかを判定するために適合され、及び／又はそのための判定モジュールを備える。そのうえ、上記ワイヤレスデバイスは、例えば上記判定モジュールにより、上記レポーティング時間ウィンドウ内の送信時間向けにスケジューリングされると判定される場合に、スケジューリングされる上記データ送信と共に上記レポートを送信する、ために適合され、及び／又はそのための送信モジュールを備える。
【０００６】
ワイヤレス通信ネットワークにおいてネットワークノードを動作させるための方法もまた開示される。上記方法は、上記ネットワークノードへ接続され又は接続可能なワイヤレスデバイスを、レポートを送信するためのレポーティング時間ウィンドウと共に構成すること、を含む。
【０００７】
そのうえ、ワイヤレス通信ネットワークのためのネットワークノードが説明される。上記ネットワークノードは、上記ネットワークノードへ接続され又は接続可能なワイヤレスデバイスを、レポートを送信するためのレポーティング時間ウィンドウと共に構成する、ために適合され、及び／又はそのための構成モジュールを備える。
【０００８】
制御回路により実行可能なコードを含むプログラムプロダクトが説明され、上記コードは、上記制御回路にここで開示される任意の１つの方法を実行させ及び／又は制御させる。
【０００９】
ここで説明される通りのプログラムプロダクト、並びに／又は、制御回路により実行可能なコードであって上記制御回路にここで開示される任意の１つの方法を実行させ及び／若しくは制御させる当該コード、を担持する担体もまた開示される。
【図面の簡単な説明】
【００１０】
【図１】ＵＥを請求（billing）ドメインへ接続させるためのセットアップを概略的に示している。
【図２】ここで説明されるアプローチに係るレポーティングを概略的に示している。
【図３】ワイヤレスデバイスの一例を概略的に示している。
【図４】ネットワークノード又はｅＮＢの一例を概略的に示している。
【図５】ワイヤレスデバイスを動作させるための方法の図を概略的に示している。
【図６】ワイヤレスデバイスを概略的に示している。
【図７】ネットワークノードを動作させるための方法の図を概略的に示している。
【図８】ネットワークノードを概略的に示している。
【発明を実施するための形態】
【００１１】
概して、“デバイスツーデバイス通信”、“Ｄ２Ｄ通信”、“ピアツーピア通信”、“ダイレクト通信”及び／若しくは“ＰｒｏＳｅ通信”若しくは“ＰｒｏＳｅダイレクト通信”、並びに／又は、関連する表現若しくは形式が互換可能に使用されてもよい。
【００１２】
ワイヤレス通信ネットワークにおいてワイヤレスデバイスを動作させるための方法が説明される。上記方法は、上記ワイヤレスデバイスにより、上記ワイヤレス通信ネットワークへレポートを送信するためのレポーティング時間ウィンドウを構成することと、上記ワイヤレスデバイスにより、上記ワイヤレスデバイスから上記ワイヤレス通信ネットワークへのデータ送信が上記レポーティング時間ウィンドウ内の送信時間向けにスケジューリングされるかを判定することと、を含む。上記方法は、上記レポーティング時間ウィンドウ内の送信時間向けにスケジューリングされると判定される場合に、スケジューリングされる上記データ送信と共に上記レポートを送信すること、をも含む。そのため、レポーティング時間ウィンドウ内にデータ送信がある場合、ワイヤレスデバイスは、そのデータ送信のための通信の開始手続（initiation）をレポートの転送のためにも使用してよく、レポートのためにネットワークとの通信の別個の開始手続を実行しなくてよい。これは、時間及び通信リソースを節約し、並びに、ワイヤレスデバイスの電力供給の損失をも低減する。上記方法は、上記ワイヤレスデバイスにより、上記ネットワークから構成情報及び／又はデータを受信すること、を含んでもよい。構成は、上記構成情報及び／又はデータに基づいて実行されてもよい。
【００１３】
上記方法は、上記レポーティング時間ウィンドウ内の送信時間向けにデータ送信がスケジューリングされていないと判定される場合に、上記レポーティング時間ウィンドウの終わりへの到達時に若しくは到達後に、及び／又は当該到達によりトリガされて、上記レポートを送信すること、を含んでもよい。この送信は、例えば、ランダムアクセス手続及び／又はＲＲＣ接続済み（connected）状態への切り替えによって、ネットワークとの通信を開始すること、を含んでもよい。
【００１４】
代替的に又は追加的に、上記方法は、上記レポートの基礎となるデータを測定するための測定時間を構成すること、を含んでもよい。
【００１５】
ワイヤレス通信ネットワークのためのワイヤレスデバイスもまた開示される。上記ワイヤレスデバイスは、上記ワイヤレス通信ネットワークへレポートを送信するためのレポーティング時間ウィンドウを構成するために適合され、及び／又はそのための構成モジュールを備える。上記ワイヤレスデバイスは、さらに、上記ワイヤレスデバイスから上記ワイヤレス通信ネットワークへのデータ送信が上記レポーティング時間ウィンドウ内の送信時間向けにスケジューリングされるかを判定するために適合され、及び／又はそのための判定モジュールを備える。そのうえ、上記ワイヤレスデバイスは、例えば上記判定モジュールにより、上記レポーティング時間ウィンドウ内の送信時間向けにスケジューリングされると判定される場合に、スケジューリングされる上記データ送信と共に上記レポートを送信する、ために適合され、及び／又はそのための送信モジュールを備える。上記ワイヤレスデバイスは、概して、無線回路及び／又は制御回路を含んでよく、具体的には、本開示において説明されるワイヤレスデバイスにより実行され及び／又はワイヤレスデバイスのモジュール群を実装するような、本開示において説明されるアクション群を制御するために適合される、少なくとも１つのコントローラ若しくはプロセッサ、及び／又はメモリ構成を含んでよい。上記ワイヤレスデバイスは、上記ネットワークから構成情報及び／又はデータを受信するために適合され、及び／又はそのための受信モジュールを含んでもよい。
【００１６】
上記ワイヤレスデバイス及び／又は送信モジュールは、上記レポーティング時間ウィンドウ内の送信時間向けにデータ送信がスケジューリングされていないと判定される場合に、上記レポーティング時間ウィンドウの終わりへの到達時若しくは到達後に、又は当該到達によりトリガされて、上記レポートを送信する、ためにさらに適合されてもよい。この送信は、例えば、ランダムアクセス手続及び／又はＲＲＣ接続済み状態への切り替えによって、ネットワークとの通信を開始すること、を含んでもよい。
【００１７】
代替的に又は追加的に、上記ワイヤレスデバイス及び／又は構成モジュール若しくはオプションとしての測定モジュールは、上記レポートの基礎となるデータを測定するための測定時間を構成する、ために適合されてもよい。
【００１８】
ワイヤレス通信ネットワークにおいてネットワークノードを動作させるための方法もまた開示される。上記方法は、上記ネットワークノードにより、ネットワークノードへ接続され又は接続可能なワイヤレスデバイスを、レポートを送信するためのレポーティング時間ウィンドウと共に、及び／又は、上記レポートの基礎となるデータを測定するための測定時間と共に構成すること、を含む。上記方法は、上記ネットワークノードにより、上記レポーティング時間ウィンドウ及び／又は上記測定時間を決定すること、を含んでもよい。
【００１９】
そのうえ、ワイヤレス通信ネットワークのためのネットワークノードが説明され、上記ネットワークノードは、上記ネットワークノードへ接続され又は接続可能なワイヤレスデバイスを、レポートを送信するためのレポーティング時間ウィンドウと共に、及び／又は、上記レポートの基礎となるデータを測定するための測定時間と共に構成する、ために適合され、及び／又はそのための構成モジュールを備える。上記ネットワークノードは、上記レポーティング時間ウィンドウ及び／又は測定時間を決定してもよく、その決定のために適合されてもよく、及び／又は、そのための決定モジュールを備えてもよい。
【００２０】
制御回路により実行可能なコードであって、当該制御回路にここで開示されるいずれか１つの方法を実行させ及び／又は制御させる上記コード、を含むプログラムプロダクトが説明される。
【００２１】
ここで説明した通りのプログラムプロダクト、並びに／又は、制御回路により実行可能なコードであって、当該制御回路にここで開示されるいずれか１つの方法を実行させ及び／若しくは制御させる上記コード、を担持する担体もまた開示される。
【００２２】
測定時間は、測定インターバル及び／若しくは測定ピリオド（例えば、複数回の測定の反復のインターバル）、並びに／又は、ワイヤレスデバイスにより少なくとも１回の測定が実行されなければならない１つ以上の測定時点を定義してもよい。測定の結果は、使用情報及び／若しくはレポートとして記憶されてもよく、並びに／又は、使用情報及び／若しくはレポートのための基礎となってもよい。測定時間は、レポーティング時間ウィンドウには非依存であってよい。具体的には、ワイヤレスデバイス及び／又は測定モジュールは、レポーティング時間インターバルには非依存に及び／又はレポーティング時間インターバルの外側で、（測定時間に従って）測定を行うために適合され及び／又は測定を実行してもよい。上記ワイヤレスデバイス及び／又は測定モジュールは、構成される測定時間に基づいて測定を実行する、ように適合されてもよい。
【００２３】
概して、ここで説明されるワイヤレスデバイスを動作させるための方法のいずれかを遂行するために適合されるワイヤレスデバイスについて検討がなされるであろう。ここで説明されるネットワークノードを動作させるための方法のいずれかを遂行するために適合されるネットワークノードもまた想起され得る。
【００２４】
ワイヤレスデバイスは、ユーザ機器であってもよく、具体的には、ＬＴＥに従ったユーザ機器であってもよい。ワイヤレスデバイスは、Ｄ２Ｄ動作及び／又は通信のために適合され得る。考慮され得ることとして、ワイヤレスデバイスは、レポートに含まれてもよく及び／又はレポートのための基礎とされてもよい使用情報（usage  information）を提供するために、Ｄ２Ｄ動作に関連するパラメータの測定を実行し、その測定のために適合され、及び／又は、そのための測定モジュールを備える。レポートは、具体的には、Ｄ２Ｄ動作についてネットワーク又は事業者が課金を行い得る基礎となる請求情報（billing  information）に関連するものであり、及び／又はそうした請求情報を含み得る。ワイヤレスデバイスは、具体的にはネットワークによりカバーされていない期間中に、Ｄ２Ｄ動作に関連する測定を実行し、及び／又は使用情報を提供するように、例えばネットワーク又なネットワークノードにより構成され得る。概して、ワイヤレスデバイスは、具体的にはレポートに関連する情報のような、データ及び／又は使用情報を記憶するメモリを含んでもよく、及び／又はそれらをメモリ内に記憶するために適合されてもよい。考慮され得ることとして、ワイヤレスデバイスは、例えば、メモリが空であり及び／又はレポートのために測定データ若しくは使用情報が利用可能でなく／記憶されていない場合には、空のレポートを送信しないために構成される。
【００２５】
ネットワークノードは、具体的には、ＬＴＥに従ったｅＮｏｄｅＢとして実装されてもよい。ネットワークノードは、ワイヤレスデバイスからレポートを受信し、及び／又はネットワークのより上位のレイヤ及び／又は事業者の請求サービスへレポートを中継するために適合されてもよく、及び／又はそのための受信モジュールを備えてもよい。
【００２６】
概して、担体は、制御回路によりアクセス可能であり、読み取り可能であり、及び／又は受信可能であり得る。データ、プログラムプロダクト及び／又はコードを記憶することは、データ、プログラムプロダクト及び／又はコードを担持することの一部であると理解されてよい。担体は、概して、ガイド／トランスポート媒体、及び／又は記憶媒体を含んでもよい。ガイド／トランスポート媒体とは、具体的には電磁信号、電気信号、磁気信号、及び／若しくは光信号といった信号を担持するように適合されてもよく、並びに／又はそうした信号を担持し若しくは記憶してもよい。担体、具体的にはガイド／トランスポート媒体は、そうした信号をガイドして搬送するように適合されてもよい。担体、具体的にはガイド／トランスポート媒体は、例えば無線波若しくはマイクロ波のような電磁場を含んでもよく、並びに／又は、例えばグラスファイバ及び／若しくはケーブルのような光学的な伝送素材を含んでもよい。記憶媒体は、揮発性又は不揮発性であり得るメモリ、バッファ、キャッシュ、光ディスク、磁気メモリ、フラッシュメモリなどのうちの少なくとも１つを含んでよい。
【００２７】
以下では、ＵＥ又はユーザ機器は、ワイヤレスデバイスについての一例として、又はワイヤレスデバイスと互換可能に用いられ得る。ｅＮｏｄｅＢ又は基地局は、ネットワークノードについての一例として、又はネットワークノードと互換可能に用いられ得る。
【００２８】
ワイヤレスデバイスについて、セルラー通信のためにライセンスされた周波数スペクトルを用いるデバイスツーデバイス通信が実装され得る。３ＧＰＰは、ＬＴＥリリース１２の一部としてＤ２Ｄ（等価に、ＰｒｏＳｅとも呼ばれる）を仕様化しており、そこでは、事業者により所有されるライセンス済みのスペクトルが、Ｄ２Ｄ接続及びセルラー接続によって共有され得る。特に、３ＧＰＰ  ＬＴＥネットワークでは、そうしたＤ２Ｄ通信を商用アプリケーションにおいて使用することができ、例えば、セルラーネットワークのオフローディング、近接性に基づくソーシャルネットワーキング、又は、公の場での危険防止の状況などであって、危険防止においては、最初の応答者が互いに及び災害エリア内の人々と通信する必要がある。
【００２９】
事業者が彼らのスペクトルのＤ２Ｄサービスのための使用を収益化する目的で、新たな課金の枠組みがセットアップされ得る。
【００３０】
以下の原理は、Ｄ２Ｄ動作／ＰｒｏＳｅ通信の文脈で適用されてよく、具体的には、ＰｒｏＳｅの１対多ダイレクト通信の課金アーキテクチャに適用されてもよい（図１参照。図１は、ワイヤレスデバイス（ＵＥ）を請求ドメインへ接続する様々な手法を、ａ）〜ｅ）で示している）：
ＰｒｏＳｅダイレクト通信の課金アーキテクチャにおいて、ＣＴＦ（Charging  Trigger  Function）のＡＭＣ（Accounting  Metrics  Collection）機能ブロックはＵＥ内に位置し、ＣＴＦのＡＤＦ（Accounting  Data  Forwarding）ブロックはＰｒｏＳｅ機能の中にある。
ＰｒｏＳｅダイレクト通信の使用情報は、ＵＥ内に安全に記憶され、例えばＴＳ３３．３０３において定義された仕組みを用いて、ＰｒｏＳｅ機能により構成されるロケーションへ、ＰＣ３（ワイヤレスデバイス／ＵＥとネットワークのＰｒｏＳｅ機能との間の標準インタフェース）上で安全にアップロードされる。
ＰｒｏＳｅ機能及び／又はネットワーク若しくはネットワークノードは、特にＤ２Ｄ動作に関連する測定及びレポーティングに関してワイヤレスデバイスを構成し、並びに／又は、例えばＴＳ２３．３０３において定義されているようなサービス承認及び提供の仕組みを用いて、ＵＥのアップロードの振る舞い若しくはレポーティングを制御する、ように適合さてもよい。あり得る構成パラメータは、ＴＳ２４．３３３において定義されている。
ＵＥは、カバレッジ内である場合に、ネットワーク若しくはネットワークノード又はＰｒｏＳｅ機能へアクセスし、通信し、及び／又はそれらへレポートを送信してもよく、ＰｒｏＳｅ機能は、例えば、ＴＳ２３．３０３において定義されているようにＨＰＬＭＮ内にある。
ＵＥは、カバレッジ外である場合、例えばＭＥ（メモリ）若しくはＵＩＣＣ（Universal  Integrated  Circuit  Card）からの事前に記憶される構成、又はカバレッジ内である際に（例えば、ネットワーク若しくはネットワークノードから）受信した構成を、使用状況のロギング及びアップロードの制御、使用情報若しくはデータの記憶、並びに／又はレポートの送信のために使用してもよい。
ローミングのケースでは、ＰＬＭＮ間の課金がサポートされてもよい。
【００３１】
図１において、Ｒｆは、３Ｇ（ワイヤレス）ネットワークエレメントとＣＤＦとの間のオフライン課金リファレンスポイントを指し、Ｇａは、ＣＤＦとＣＧＦ（Charging  Gateway  Function）との間のＣＤＲ（Charging  Data  Record）転送のためのリファレンスポイントを指し、Ｂｘは、任意の（汎用）３Ｇ（ワイヤレス）ドメインのサブシステム又はサービスのＣＧＦとＢＤ（課金ドメイン）との間のＣＤＲファイル転送のためのリファレンスポイントを指す。これらリファレンスポイントにおける課金ドメイン、及びＵＥの外部の機能群は、ネットワークの一部であってよく、ネットワークノードとして実装され得る。課金ドメインは、事業者により使用される、ＵＥによるネットワークの／ライセンス済みのリソースの使用について課金を行うためのコアネットワークの部分であってよい。
【００３２】
ＵＥは、Ｅ−ＵＴＲＡＮカバレッジの外側にいる場合、レポーティングピリオドごとに、記録された使用情報からレポートを生成し、空でないそのレポートを不揮発性メモリ内に記憶し、ＵＥがカバレッジに復帰するとその１つ以上のレポートを送信し得る。
【００３３】
ほとんどのセルラーネットワークにおいて、ＵＥのようなワイヤレスデバイスは、特にセルラー通信について、例えばデータ送信又はレポートの送信のために、ランダムアクセス手続を実行してネットワークと通信しなければならない。留意すべきこととして、ランダムアクセス手続又はページングは、概して、ワイヤレスデバイスからネットワークへのデータの送信を含む。ＬＴＥでは、ＵＥは、ｅＮＢと通信するためにはＲＲＣ接続済み（RRC  CONNECTED）モードである必要がある。ＲＲＣ接続は、ランダムアクセス又はページング手続によって確立される。RRC  CONNECTEDにある間、ＵＥは、IDLEモードよりも頻繁にチャネル及び信号をモニタリングし、それに応じてより多くの電力を消費する。
【００３４】
事業者は、ワイヤレスデバイスにより実行されるＤ２Ｄ動作に関するレポートを、リソースの使用について正確な課金を行う目的で比較的頻繁に受信する必要があり、但し、そうしたレポートは、例えばチャネル品質又は通信の制御に直接的に関連するレポートなどの他のレポートほどは、時間的にクリティカルではないであろう。アイドルのＵＥ及び／又はカバレッジ内にいないＵＥでさえＤ２Ｄへアクティブに参加し得ることを考慮すると、ネットワークへの周期的なレポーティングに関連付けられる電力消費は、バッテリ寿命を有意に短くすることに加え、セルラー接続への大きなオーバヘッドをもたらしかねない。
【００３５】
Ｄ２Ｄの課金に関する接続パラメータをモニタリング／測定するステップと、そうした測定結果をネットワークへレポートするステップとを分離することが考慮され得る。モニタリングは周期的に及び特定の時点で実行され得るのに対し、レポーティングのための時間は、構成可能な時間ウィンドウの範囲内でＵＥにより選択されてよい。賢明なＵＥの実装として、レポーティング時間ウィンドウの期間中に発生する他のセルラー通信と、課金レポートとを組み合わせてもよい。
【００３６】
提案されるアプローチは、特に、Ｄ２Ｄ動作の文脈において課金用測定結果をレポーティングする目的のためにＵＥにより消費される電力の最適化を可能とする。
【００３７】
上の説明は、課金（charging）に焦点を当てているが、提案される解決策は、ＵＥからネットワーク（ＮＷ）へのいかなる種類のレポーティングに拡張されてもよく、特に、あまり時間的にクリティカルでないレポーティング（例えば、ブロードキャストサービスに関連付けられる拡張された受信レポーティング）に拡張されてもよい。他の例は、例えば接続及び／又は通信相手を示すログなどの、ログのレポーティングである。
【００３８】
アイドルＵＥは、ユーザデータを送信する必要が無い場合であっても、時折ｅＮＢへ接続する（即ち、ページング／ランダムアクセスを実行し、一時的にRRC  CONNECTEDモードへ切り替える）必要がある。例えば、ＵＥは、モビリティ目的のために周期的に無線測定結果を提供し、又はトラッキングエリアを変更する場合に自身を識別する必要がある。Ｄ２Ｄ課金レポートは、ＬＴＥプロトコルスタックにおけるＬ１／２に相当するユーザデータとして認識される。これは、アイドルＵＥが、課金レポートを送信する目的でＮＷへ接続する必要があるであろうことを示唆する。
【００３９】
１つの観点により提案されることとして、ある時間ウィンドウ内でＵＥからＮＷへのレポーティングが可能でなければならない。概して、そのレポーティング時間ウィンドウは、例えば、ＮＷ又はネットワークノードにより予め決定され又は構成されてよい。例えば、新たなレポートが、Ｗ秒の（レポーティング）時間ウィンドウの範囲内で、Ｔ秒ごとに提供され得るという構成がなされてもよい。さらなる例では、（ワイヤレスデバイスあるいはＵＥ上のタイマであり得る）タイマが、ワイヤレスデバイスあるいはＵＥがレポーティングを完了する都度リセットされてもよく、ＵＥはタイマが満了する前に新たなレポートを行わなければならないとされ、このアプローチは、時間ウィンドウの終了時刻をタイマが満了する時刻に設定し、開始時刻をタイマ始動時に設定することに相当する。典型的には、レポーティングの期間及び内容は、事業者又はＮＷ若しくはネットワークノードにより構成され、いくつかの請求／課金アプリケーション向けに数分のオーダであることができる。
【００４０】
ワイヤレスデバイスは、具体的には課金レポートについて、レポートの送信を予測し、例えば、単に課金レポートを送信する目的のために必要とされる処理の回数を引き下げることにより、必要とされる専用のランダムアクセス手続の回数を低減する目的で、許可されるレポーティング時間ウィンドウの範囲内でレポートの送信を遅延させる、ように適合されてもよい。例えば、アイドルＵＥは、許可されたレポーティング時間ウィンドウの期間中に課金レポーティングに関連しない何らかの目的でRRC  CONNECTEDへ一時的に切り替わると、依然としてRRC  CONNECTEDモードである最中に、課金レポートを送信することを自律的に決定してもよい。
【００４１】
図２は、提案される通りのレポーティングの期間中のデータフローを示している。ＵＥは、ワイヤレスデバイスを表し、ｅＮＢは、ネットワークの一部として理解され得る基地局若しくはネットワークノードを表し、及び／又はネットワークを表す。時間は、矢印の頭により示されるように、上から下へと進行する。アイドルの期間中に、ＵＥは、ｅＮＢへデータを送信せず、少なくともユーザデータ及び／又はレポートを送信しない。しかしながら、ＵＥは、例えば他のワイヤレスデバイスとのＤ２Ｄ通信に参加するかもしれない。ネットワークにより構成される所与の測定時刻において（図２における「測定」）、ワイヤレスデバイスにより、例えば使用情報に関する測定が行われる。レポーティング時刻を直接的に測定時刻に連動させ測定結果を即座にレポートする代わりに、ワイヤレスデバイスは、図２において破線で示されているレポーティング時間ウィンドウの期間中にさらなるデータ送信がスケジューリングされるかを判定する。（データ送信を含む）データ交換が決定されると、ワイヤレスデバイスは、そのデータ交換のデータと共にレポートを送信する。この場合、レポートはデータ交換に付け足される。よって、レポート及びデータ交換のデータを送信するために、１回のランダムアクセス手続しか必要とされない。図２は、接続済み状態の期間中に測定が実行される第２の状況を示しており、このケースでは、レポートは直接的に送信されてよい。レポーティング時間ウィンドウの期間中に接続済み状態がスケジューリングされない（データ送信が無い）ケースでは、レポートは、レポーティング時間ウィンドウの終了時に又は終了後すぐに送信される。具体的には、レポートの送信は、データ送信がスケジューリングされると判定されないまま及び／又はレポートが送信されないままレポーティング時間ウィンドウの終わりに到達することによってトリガされてもよい。
【００４２】
図３は、概略的に、デバイスツーデバイス通信の又はそのためのノードであり得るワイヤレスデバイスあるいはユーザ機器１０をより詳細に示している。ユーザ機器１０は、メモリへ接続されるコントローラを含み得る制御回路２０を備える。受信モジュール、送信モジュール、並びに／又は構成及び／若しくは判定モジュールは、具体的にはコントローラ内のモジュールとして、制御回路２０内で実装されてもよい。また、ユーザ機器は、受信及び送信又は送受信の機能性を提供する無線回路２２をも備え、無線回路２２は、制御回路へ接続され又は接続可能である。ユーザ機器１０のアンテナ回路２４は、信号を収集し、送信し及び／又は増幅するために、無線回路２２へ接続され又は接続可能である。無線回路２２及びそれを制御する制御回路２０は、具体的にはＤ２Ｄ通信についてここで説明したようなＥ−ＵＴＲＡＮ／ＬＴＥリソースを利用するデバイスツーデバイス通信のために構成される。
【００４３】
図４は、概略的に、具体的にはｅＮｏｄｅＢであり得る基地局１００を示している。基地局１００は、メモリへ接続されるコントローラを含み得る制御回路１２０を備える。構成ユニット及び／又は判定モジュールは、制御回路に含まれてもよく、又は制御回路内で実装されてもよい。制御回路は、受信機及び送信機並びに／又は送受信機の機能性を提供する、基地局１００の無線回路１２２へ接続される。アンテナ回路１２４は、良好な信号の受信若しくは送信及び／又は増幅を提供するために、無線回路１２２へ接続され又は接続可能であり得る。
【００４４】
図５は、ワイヤレスデバイスを動作させるための方法を示している。当該方法は、ワイヤレスデバイスがワイヤレス通信ネットワークへレポートを送信するためのレポーティング時間ウィンドウを構成するアクションＳ１０、を含み得る。その構成は、ネットワークから例えばセルラー通信を介して対応する情報を受信することに基づいてもよい。レポーティング時間ウィンドウは、周期的であって、一定間隔で所与の時刻に使用されるものであってもよい。アクションＳ１２において、ワイヤレスデバイスは、ワイヤレスデバイスからワイヤレス通信ネットワークへのデータ送信がレポーティング時間ウィンドウ内の送信時間向けにスケジューリングされるかを判定する。そのために、ワイヤレスデバイスは、スケジューラ、スケジューラメモリ又はレジスタをチェックしてもよく、並びに／又は、具体的には１つ以上の送信機など、制御回路及び／若しくは無線回路をモニタリングしてもよい。スケジューリングされるデータ送信が存在すると判定される場合、アクションＳ１４において、ワイヤレスデバイスは、例えばそのスケジューリングされる送信にレポートを付加することにより、データ送信と共にレポートを送信する。スケジューリングされるデータ送信が存在せず、及び／又はそれが検出されない場合、時間レポーティングウィンドウの終わりに到達することで、独立したレポートの送信がトリガされ得る。
【００４５】
図６は、図５を参照しながら説明したようなＳ１０を実行するための構成モジュールＷ１０を含むワイヤレスデバイスを示している。ワイヤレスデバイスは、図５を参照しながら説明したようなＳ１２を実行するための判定モジュールＷ１２をさらに含む。そのうえ、ワイヤレスデバイスは、図５を参照しながら説明したようなＳ１４を実行するための送信モジュールＷ１４を含む。概して、ワイヤレスデバイスは、図５を参照しながら説明したような上記方法を実行する、ように適合され得る。
【００４６】
図７は、ネットワークノードを動作させるための方法を示している。当該方法は、ネットワークノードへ接続され又は接続可能なワイヤレスデバイスを、レポートを送信するためのレポーティング時間ウィンドウと共に構成するアクションＳ２０、を含む。ワイヤレスデバイスは、ワイヤレス通信のために、具体的にはセルラー通信のためにネットワークへ接続され又は接続可能であり得る。ネットワークノードは、レポーティング時間ウィンドウ及び／又は測定時間を決定し得る。考慮され得ることとして、ワイヤレスデバイスを構成することは、対応する構成情報をワイヤレスデバイスへ送信することを含む。
【００４７】
図８は、ネットワークノードを示している。ネットワークノードは、図７を参照しながら説明したようなＳ２０を実行するための構成モジュールＷ２０をさらに含む。概して、ネットワークノードは、図７を参照しながら説明したような上記方法を実行する、ように適合され得る。
【００４８】
代替的に又は追加的に、次の点が考慮され得る。ＬＴＥにおいて、ＵＥは、ｅＮｏｄｅＢと通信する目的で、RRC  CONNECTEDモードになる必要がある。ＲＲＣ接続は、ランダムアクセス又はページング手続によって確立される。RRC  CONNECTEDにある間、ＵＥは、IDLEモードよりも頻繁にチャネル及び信号をモニタリングし、それに応じてより多くの電力を消費する。
【００４９】
アイドルＵＥでさえＰｒｏＳｅダイレクション通信サービスへアクティブに参加し得ることを考慮すると、ネットワークへの周期的なレポーティングに関連付けられる電力消費は、バッテリ寿命を有意に短くすることに加え、セルラー接続への大きなオーバヘッドをもたらしかねない。
【００５０】
課金測定結果をレポートする目的のためにＵＥにより消費されるエネルギーを最適化することが有益であり得る。課金測定結果は、使用情報として見られてもよく、又はレポートの基礎であり若しくはレポートに含まれてもよい。
【００５１】
アイドルＵＥは、ユーザデータを送信する必要が無い場合であっても、時折ｅＮｏｄｅＢへ接続し（即ち、ページング／ランダムアクセスを実行し）、一時的にRRC  CONNECTEDモードへ切り替える必要があり得る。例えば、ＵＥは、モビリティ目的のために周期的に無線測定結果を提供し、又はトラッキングエリアを変更する場合に自身を識別する必要があり得る。
【００５２】
ＰｒｏＳｅダイレクト通信サービスの使用情報レポートは、ＬＴＥプロトコルスタックにおけるレイヤ１／２に相当するユーザデータとして認識される。これは、アイドルＵＥが、課金レポート及び／又は他の使用情報を送信する目的で（例えば、ＲＲＣ接続済みへ移行し、及び／又はランダムアクセス手続を実行することにより）ネットワークへ接続しなければならないことを示唆する。
【００５３】
１つの観点において、提案される解決策は、ＰｒｏＳｅダイレクト通信サービスのための使用情報パラメータをモニタリングし及び測定するステップと、測定結果をネットワークへレポートするステップとを分離することを示唆する。モニタリングは周期的に特定の時点で実行され得るのに対し、レポーティングのための時間は、構成可能な時間ウィンドウの範囲内でＵＥにより選択されることができる。賢明なＵＥの実装は、レポーティング時間ウィンドウの期間中に発生する他のセルラー通信に課金レポートを組み合わせることができる。
【００５４】
上記解決策の一部は、独立した部分となってもよいが、事業者又はネットワーク、具体的にはネットワークノードにより構成される、Ｗ秒のウィンドウ内のＴ秒の時点で新たなレポートが提供され得るというようなレポーティング時間ウィンドウの導入に関係する。レポーティング時間ウィンドウは、周期的なウィンドウであってよい。
【００５５】
上記解決策の第２の部分は、独立した部分となってもよいが、単に使用情報又は課金レポートを送信する目的のために必要とされる専用のランダムアクセス手続の回数を低減する目的で、許可されるレポーティング時間ウィンドウの範囲内で、使用情報のレポート、具体的には１つ以上の課金レポートの送信を予測し又は遅延させることに関係し得る。アイドルＵＥは、許可されたレポーティング時間ウィンドウの期間中に使用情報のレポーティングに関連しない何らかの目的でRRC  CONNECTEDへ一時的に切り替わると、依然としてRRC  CONNECTEDモードである最中に、使用情報レポートを送信することを自律的に決定してもよい。アイドルＵＥは、レポーティング時間ウィンドウの終了の前にRRC  CONNECTEDへ切り替わらない場合、ネットワークへ接続し及び使用情報レポートを送信する。
【００５６】
ＰｒｏＳｅダイレクト通信のための使用情報は、ＴＳ２４．３３３［２４１］において定義されている構成に基づいて収集され得る。使用情報は、ＩＭＳＩに関連付けて収集され及び記録され得る。
【００５７】
ワイヤレスデバイス又はＵＥを次のように適合することが考慮されてよい：
ＵＥがＥ−ＵＴＲＡＮカバレッジ内にいる際に、その時点の測定ピリオドについて記録された使用情報が空でない場合、ＵＥは、次の基準のうちの１つが満たされるときに、構成された通りに使用方法をレポートするものとする：
−構成された測定ピリオドに達し、かつＵＥがRRC  CONNECTEDモードへ一時的に切り替える；又は
−構成された測定ピリオドに達し、かつ関連付けられる構成されたレポーティングウィンドウの終わりに達した。
【００５８】
留意すべきこととして、RRC  CONNECTEDモードへの切り替えは、データをネットワークへ送信することを含む。
【００５９】
ＵＥがＥ−ＵＴＲＡＮカバレッジ外にいる際に、ＵＥは、記録され／測定され／記憶された使用情報からレポーティング又は測定ピリオドごとにレポートを生成してよく、空でないそのレポートを不揮発性メモリ内に記憶し、ＵＥがカバレッジに戻るとそのレポートを送信してもよい。
【００６０】
本開示の文脈において、レポートは、例えばワイヤレスデバイスにより及び／又はワイヤレスデバイス上で提供され及び／又は生み出されたデータなどのデータを含んでよい。具体的には、そのレポートは、使用データ若しくは使用情報及び／又はユーザデータを含んでもよく、特に、ワイヤレスデバイスが参加している及び／又は参加していたＰｒｏＳｅダイレクト／Ｄ２Ｄ通信に関するそうしたデータを含んでもよい。使用情報は、具体的には、例えばＤ２Ｄ通信のための接続データ及び／又は通信データなど、Ｄ２Ｄ動作の文脈において、ワイヤレスデバイスにより取得される測定データを含んでもよい。具体的には、ＬＴＥ又は類似の文脈において、使用情報は、ＵＥ若しくはワイヤレスデバイスのアイデンティティ（例えば、ＩＭＳＩ）、ＰｒｏＳｅダイレクト通信がＥ−ＵＴＲＡＮカバレッジ下にある場合にはサービングＰＬＭＮ  ＩＤのリスト、ＵＥ／ワイヤレスデバイスのロケーションのリスト（例えば、ＥＣＧＩ）及び対応するタイムスタンプ、ＰｒｏＳｅダイレクト通信について使用される無線／無線回路パラメータ若しくは構成（例えば、ＴＳ２４．３３３［２４１］において定義されているもの）、ＵＥ／ワイヤレスデバイスがＥ−ＵＴＲＡＮカバレッジから出入りした際のタイムスタンプのリスト、（ＰｒｏＳｅ  Ｌ２グループＩＤにより識別される）ＰｒｏＳｅダイレクト通信グループごとの、ＴＳ２４．３３３［２４１］において定義されているようなＰｒｏＳｅダイレクト通信について使用されるグループパラメータ（例えば、ＰｒｏＳｅ  Ｌ２グループＩＤ）、ＩＰマルチキャストアドレス、ソースＩＰアドレスなど、及び／若しくは、初回の１対多通信の送受信のタイムスタンプ、当該１対多通信セッションにおける送信機群のアイデンティティ（例えば、ソースＬ２  ＩＤ及びＩＰアドレス）、ＵＥ若しくはワイヤレスデバイスにより送信されるデータ量、ＵＥ若しくはワイヤレスデバイスによりＥ−ＵＴＲＡＮカバレッジ内にいる際に送信されるデータ量、ＵＥ若しくはワイヤレスデバイスによりＥ−ＵＴＲＡＮカバレッジ外にいる際に送信されるデータ量、ＵＥにより受信されるデータ量、ＵＥによりＥ−ＵＴＲＡＮカバレッジ内にいる際に受信されるデータ量、ＵＥによりＥ−ＵＴＲＡＮカバレッジ外にいる際に受信されるデータ量、並びに／又は、アプリケーション固有のデータ（例えば、アプリケーション固有のセッションフロア制御情報、通信におけるグループメンバのアプリケーションレイヤユーザＩＤ）、のうちの任意の１つ又は任意の組み合わせを含んでよい。
【００６１】
ワイヤレスデバイスを構成すること、又はワイヤレスデバイスにより構成することは、ワイヤレスデバイスの１つ以上のパラメータ及び／若しくはレジスタを設定し、並びに／又は、例えば制御回路及び／又は無線回路など、１つ以上のコンポーネント、サブシステム及び／若しくは回路をチューニングし及び／若しくは設定することを含んでもよく、具体的には、それは、例えば、割り当てられたリソースに従って、及び／若しくはネットワークノードによるスケジューリングの通りにデータを送受信するために、ワイヤレスデバイスを所望の動作モードにさせ、並びに／又は、セルラーネットワークの１つ以上のセル及び／若しくは１つ以上のＰｒｏＳｅ対応デバイスを介する通信若しくはそれらとの通信向けの構成をするためである。ワイヤレスデバイスは、例えば、ネットワーク若しくはネットワークノードから受信し得る構成データ及び／又は割り当てデータに基づいて、自身を構成するために適合されてもよい。
【００６２】
具体的にはレポーティング時間ウィンドウである時間、ピリオド若しくは時間ウィンドウを構成することは、当該時間、ピリオド、時間ウィンドウ若しくはレポーティング時間ウィンドウが設定され、並びに／又は、ワイヤレスデバイスがここで説明した対応する条件に従って送信を行うように、パラメータを定義し、決定し及び／若しくは設定し、又は、ワイヤレスデバイスの回路及び／又はワイヤレスデバイスを制御することを含んでもよい。ワイヤレスデバイスは、例えば固有の測定ピリオド、インターバル、及び／又はどのパラメータを測定し及び／若しくはレポートすべきかなどを設定／定義することにより、測定動作のため、並びに／又は、特定の測定を実行するために構成されてもよい。ワイヤレスデバイスは、例えば、どのデータ若しくはパラメータを送信すべきか、いつどういった頻度で送信を行うべきか、並びに／又は、どのチャネル及び／若しくはキャリア上で送信を行うべきかを設定／定義することにより、レポートを送信するために構成されてもよい。ネットワーク及び／又はネットワークノードによりワイヤレスデバイスを構成することは、ネットワークン及び／又はネットワークノードからワイヤレスデバイスへ構成のため／ワイヤレスデバイスを構成するための例えば命令及び／又はパラメータなどの情報を送信すること、を含んでもよい。ワイヤレスデバイス及び／又はワイヤレスデバイスの構成モジュールは、情報を受信し、及び／若しくは当該情報に基づいて構成を行うために適合されてもよく、並びに／又は、そうした動作を実行してもよい。
【００６３】
ワイヤレスデバイスは、概して、例えばＬＴＥ準拠など、具体的にはモバイル通信標準に従って、セルラーネットワーク内での及び／又はネットワークノードとのセルラー通信のために適合されるデバイスであってよい。ワイヤレスデバイスは、ユーザ機器及び／若しくはモバイル端末、又は単に端末を含んでよく、及び／又は、ユーザ機器及び／若しくはモバイル端末、又は単に端末として言及されてもよい。考慮され得ることとして、ワイヤレスデバイスはＰｒｏＳｅ対応であり、及び／又は、Ｄ２Ｄ対応デバイスとして実装され若しくはＤ２Ｄ対応デバイスを含み得る。
【００６４】
ネットワークノードとの通信及び／又はネットワークノードへのデータの送信は、概して、例えばｅＮｏｄｅＢといったネットワークノードとの通信及び／又はネットワークノードへのデータの送信を含んでよく、ネットワークノードは、例えば図１に示したような、例えばＰｒｏＳｅ機能及び／又は請求ドメインなどのネットワークの上位レイヤへデータを中継し得る。
【００６５】
時間ウィンドウ、具体的にはレポーティング時間ウィンドウは、時間インターバルを定義し、及び／又は時間インターバルのサイズを定義し得る。時間ウィンドウは、ウィンドウ又はインターバルの始まりと終わりとをそれぞれ定義し得る、開始若しくは開始時刻と終了若しくは終了時刻とを有し得る。時間ウィンドウは、例えば終了時刻と開始時刻とによってパラメータ化されてもよく、又は他の例では、インターバルの中間点又は（時間上の）基準点と、その中間点からの双方向における許容値若しくは差、又は各方向について１つの許容値若しくは差を定義することによりパラメータ化されてもよい。時間ウィンドウ、具体的にはレポーティング時間ウィンドウは、例えば時間インターバルのサイズが同一であり但し構成される時点が変化し及び／又は周期的となるように反復するように構成されて、一定間隔の時間ピリオドで反復するように、周期的であってもよい。
【００６６】
ある送信時間についてデータ送信がスケジューリングされるかを判定することは、メモリ、レジスタ、スケジューラ及び／若しくはスケジューリングメモリからの読み取り、並びに／又は、送信スケジュール及び／若しくは送信機のセッティングのチェックを含んでよい。その判定は、例えばスケジュールをチェックし若しくはメモリからそれを読み取ることにより、レポーティング時間ウィンドウに達する前に実行されてもよく、又は、例えばスケジュールをチェックし及び／若しくは伝送を及び／若しくは無線若しくは制御回路をモニタリングすることにより、レポーティング時間ウィンドウの期間中に実行されてもよい。判定は、１つ以上の時点において実行されてよく、具体的にはそれはレポーティング時間ウィンドウの開始前及び／又は開始時であり得る。代替的に又は追加的に考慮され得ることとして、判定は、レポーティング時間ウィンドウを少なくとも部分的に含み得る時間インターバルの期間中に、継続的に及び／又は定義される反復ピリオドで実行される。ワイヤレスデバイスは、ここで議論したように判定を行うために適合され得る。データ送信は、ある送信時間において送信されるようにスケジューリングされ及び／若しくは計画される場合、並びに／又は、その送信時間に送信される場合に、その送信時間についてスケジューリングされたものと見なされてよい。送信時間は、レポーティング時間ウィンドウの開始時刻以降であり且つレポーティング時間ウィンドウの終了時刻以前である場合に、レポーティング時間ウィンドウの範囲内にあるものと見なされてよい。データ送信がある送信時間向けにスケジューリングされるかを判定することは、ワイヤレスデバイスがＲＲＣ接続済みステータスへ切り替わるかを判定すること、又はＲＲＣ接続済みステータスへ切り替わるようにスケジューリングされるかを判定すること、を含んでよく、その切り替えはデータの送信及び／又はランダムアクセス手続の実行を要し得る。
【００６７】
例えばレポーティング時間ウィンドウ内の送信時間において送信されるデータなど、他のデータと共にレポートを送信することは、データにレポートを包含し及び／若しくは付加し、例えばランダムアクセス手続などの接続開始の後にレポートを送信し、データ送信を開始し、並びに／又は、具体的にはセルラー通信などの通信のためにネットワークノードにワイヤレスデバイスを接続させること、を含んでよく、それはデータ送信とレポートとで共通のランダムアクセス手続の後、追加的なランダムアクセス手続を実行することなく、及び／又は、データを送信するためにワイヤレスデバイスをＲＲＣ接続済み状態にした後になされてもよい。
【００６８】
送信のためにスケジューリングされるデータ送信は、具体的にはレポートとは異なるデータである送信すべきデータに関連し得る。
【００６９】
概して、レポーティング時間ウィンドウの終了時又は終了後のレポートの送信は、レポートが送信されることなく、レポーティング時間ウィンドウの終わりに到達したことによってトリガされ及び／又は引き起こされてよい。ワイヤレスデバイスは、レポーティング時間ウィンドウの終わりに到達した場合にレポートの送信をトリガする、ために適合されてよい。
【００７０】
レポーティング時間ウィンドウ及び／又は測定時間のネットワークノードによる判定は、他のネットワークノード若しくはワイヤレスデバイスから対応する情報若しくはパラメータを受信すること、それらをメモリから読み取ること、並びに／又は、ネットワークノードにより、具体的には測定ピリオドなど、レポーティング時間ウィドウ及び／若しくは測定時間を計算し、推定し及び／若しくは設定すること、を含んでよい。
【００７１】
ネットワーク若しくはネットワークノードへのデータ及び／又はレポートの送信は、概して、ワイヤレスデバイスにより、例えばＲＲＣ接続済みモードなどの通信モードへ移行し若しくは変化すること、及び／又は、ランダムアクセス手続を開始し及び／若しくは実行することを含む。ワイヤレスデバイスは、セルによりカバーされ、及び／又は、データの送信のために、ネットワーク若しくはネットワークノードとの通信関係にあり得る。その送信は、セルラー送信であってよい。考慮され得ることとして、その送信は、Ｄ２Ｄ送信であってもよい。概して、データ又はレポートの送信は、ワイヤレスデバイスがカバレッジ内にあり及び／若しくはネットワークと通信し得る場合に実行されてよく、ワイヤレスデバイスがカバレッジ外にある場合には、レポートはワイヤレスデバイスにより記憶され得る。ワイヤレスデバイスは、具体的にはＤ２Ｄ通信のために適合され及び／若しくはＤ２Ｄ通信に参加する場合において、ネットワークカバレッジ外にあるとき、使用情報及び／若しくはレポートを記憶するために適合されてもよく、並びに／又はそのための記憶モジュールを備えてもよい。
【００７２】
この説明の文脈において、ワイヤレス通信は、例えばワイヤレス通信ネットワークにおける及び／若しくは無線アクセス技術（ＲＡＴ）を利用した、電磁波及び／若しくはエアインタフェース、具体的には無線波を介するデータの送信並びに／又は受信といった通信であってよい。その通信は、ワイヤレス通信ネットワークのノード間で、及び／又はワイヤレス通信ネットワーク内でなされてよい。想起され得ることとして、通信中の若しくは通信のためのノード、及び／又は、ワイヤレス通信ネットワーク内の、ワイヤレス通信ネットワークの若しくはワイヤレス通信ネットワークのためのノードは、具体的にはＬＴＥ／Ｅ−ＵＴＲＡといった１つ以上のＲＡＴのために適合され、及び／又は、それらを利用した通信のために適合される。通信は、概して、具体的にはパケットデータの形式での、メッセージの送信及び／又は受信に関与し得る。メッセージ又はパケットは、制御データ、構成データ及び／若しくはペイロードデータを含み、並びに／又は、ひとまとまりの物理レイヤ送信信号を含み得る。制御データ及び／又は構成データは、通信の処理及び／又は通信のノードに関連するデータへの言及であり得る。それは、例えばヘッダ内の、通信のノードを指すアドレスデータ、並びに／又は、通信若しくは送信の処理に関連するデータとして、送信モード、スペクトル構成、周波数、符号化、タイミング、及び／若しくは帯域幅に関連するデータを含み得る。そうした通信に関与する各ノードは、１つ若しくは１つよりも多くの無線アクセス技術を利用し若しくは実装するように構成され得る、無線回路、制御回路及び／又はアンテナ回路を含み得る。ノードの無線回路は、概して、無線波の送受信のために適合されてよく、具体的には、アンテナ回路及び／若しくは制御回路へ接続され若しくは接続可能であり得る、対応する送信機、受信機及び／又は送受信機を含み得る。ノードの制御回路は、コントローラ、並びに／又は、読み取り及び／若しくは書き込みアクセスのためにコントローラにとってアクセス可能に構成されるメモリを含み得る。コントローラは、通信及び／若しくは無線回路を制御し、並びに／又は、追加的なサービスを提供するように構成され得る。具体的には制御回路など、例えばコントローラといったノードの回路は、ここで説明した機能性を提供するようにプログラミングされてもよい。対応するプログラムコードは、関連付けられるメモリ及び／若しくは記憶媒体内に記憶され、ハードワイヤ化され、並びに／又は、ファームウェア、ソフトウェア及び／若しくはハードウェアとして提供されてもよい。コントローラは、概して、プロセッサ、マイクロプロセッサ、マイクロコントローラ、ＦＰＧＡ（Field-Programmable  Gate  Array）デバイス、及び／又はＡＳＩＣ（Application  Specific  Integrated  Circuit）デバイスを含み得る。より具体的には、考慮され得ることとして、制御回路は、メモリを含み、及び／又はメモリへ接続され若しくは接続可能であってよく、メモリは、コントローラ及び／若しくは制御回路による読み取り並びに／又は書き込みのためにアクセス可能であるように適合され得る。無線アクセス技術は、概して、例えばＢｌｕｅｔｏｏｔｈ、Ｗｉｆｉ、ＷＩＭＡＸ、ｃｄｍａ２００��、ＧＥＲＡＮ、及び／又はＵＴＲＡＮ、特にＥ−Ｕｔｒａｎ及び／又はＬＴＥを含み得る。通信は、具体的には、物理レイヤ（ＰＨＹ）の送受信を含んでよく、物理レイヤの送受信には、論理チャネル及び／又は論理的な送受信が重畳され若しくは積層され得る。ワイヤレス通信ネットワークのノードは、ワイヤレスデバイス、ユーザ機器、基地局、リレーノード、及び／又は、デバイスツーデバイス通信のために概して適合される任意のデバイスとして実装されてよい。ワイヤレス通信ネットワークは、デバイスツーデバイス通信のために構成されるデバイス、ワイヤレスデバイス、ユーザ機器、基地局及び／又はリレーノードのうちの少なくとも１つを含んでよく、それは具体的には、ワイヤレス通信ネットワークの第２のワイヤレスデバイス若しくはノード、とのデバイスツーデバイス通信、特に第２のユーザ機器とのデバイスツーデバイス通信のために構成され得る少なくとも１つのユーザ機器などであってよい。ワイヤレス通信ネットワークのノード又はそのためのノードは、概して、ワイヤレスデバイスツーデバイス通信のために構成されるワイヤレスデバイスであってよく、具体的には、セルラー及び／若しくはワイヤレス通信ネットワークの周波数スペクトル、並びに／又は、そうしたネットワークの周波数及び／若しくは時間リソースを用いるように構成されるワイヤレスデバイスであってよい。デバイスツーデバイス通信は、オプションとして、複数のデバイス若しくはノードへのブロードキャスト及び／又はマルチキャスト通信を含んでもよい。セルラーネットワークは、ネットワークノードを含んでよく、例えばＬＴＥ準拠など、例えば拡張されたネットワークコアを伴うコアネットワークといった、具体的にはコアネットワークへ接続され若しくは接続可能であり得る無線ネットワークノードを含んでもよい。ネットワークノードとコアネットワーク／ネットワークコアとの間の接続は、少なくとも部分的に、ケーブル／地上線の接続に基づいてもよい。具体的には基地局若しくはｅＮＢの上のレイヤにおける、コアネットワークの一部に関与する信号の運用、通信、若しくは交換、並びに／又は、基地局若しくはｅＮＢにより提供される予め定義されるセル構造を介する信号の運用、通信、若しくは交換は、セルラーの性質を有するものと見なされてもよく、セルラー動作であると呼ばれてもよい。基地局の上のレイヤ群の関与の無い及び／又は基地局若しくはｅＮＢにより提供される予め定義されるセル構造の利用の無い信号の運用、通信及び／又は交換は、Ｄ２Ｄ通信若しくは動作であると見なされてよく、特に、セルラー動作のために提供され及び／若しくは使用される無線リソース、キャリア、周波数及び／若しくは機器（例えば、無線回路及び／若しくはアンテナ回路のような回路、具体的には送信機及び／若しくは受信機並びに／又は送受信機）を利用する場合にはそうである。
【００７３】
ワイヤレスデバイス若しくはユーザ機器（ＵＥ）は、概して、ワイヤレスデバイスツーデバイス通信のために構成される（ワイヤレスデバイスであり得る）デバイス、並びに／又はワイヤレス及び／若しくはセルラーネットワークのための端末であってよく、具体的には、例えばモバイルフォン、スマートフォン、タブレット、ＰＤＡなどのモバイル端末であってよい。ユーザ機器は、ここで説明したような、具体的にはワイヤレスデバイスといった、ワイヤレス通信ネットワークのノード又はそのためのノードであってよい。想起され得ることとして、ワイヤレスデバイスユーザ機器、又はワイヤレスデバイスは、具体的にはＬＴＥ／Ｅ−ＵＴＲＡといった１つ以上のＲＡＴのために適合される。ユーザ機器又はワイヤレスデバイスは、概して、近接性サービス（ＰｒｏＳｅ）対応型であってよく、これはＤ２Ｄ可能又はＤ２Ｄ対応型であることを意味し得る。考慮され得ることとして、ユーザ機器又はワイヤレスデバイスは、ワイヤレス通信のための無線回路及び制御回路を備える。無線回路は、例えば受信機デバイス及び／若しくは送信機デバイス並びに／又は送受信機デバイスを備え得る。制御回路は、マイクロプロセッサ、マイクロコントローラ、ＦＰＧＡ（Field-Programmable  Gate  Array）デバイス、及び／又はＡＳＩＣ（Application  Specific  Integrated  Circuit）デバイスを含み得るコントローラを含み得る。考慮され得ることとして、制御回路は、メモリを含み、及び／又はメモリへ接続され若しくは接続可能であってよく、メモリは、コントローラ及び／若しくは制御回路による読み取り並びに／又は書き込みのためにアクセス可能であるように適合され得る。ワイヤレス通信ネットワークのノード若しくはデバイス、又はそのためのノード若しくはデバイス、具体的にはデバイスツーデバイス通信のためのノード若しくはデバイス、又はそのためのノード若しくはデバイスは、概して、ユーザ機器又はワイヤレスデバイスであってよい。考慮され得ることとして、ユーザ機器は、ＬＴＥ／Ｅ−ＵＴＲＡＮのために適合されるユーザ機器として構成される。
【００７４】
ネットワークノードは、１つ以上のワイヤレスデバイス若しくはユーザ機器へサービスするように適合される、ワイヤレス及び／若しくはセルラーネットワークの任意の種類の基地局であり得る基地局であってよい。考慮され得ることとして、基地局は、ワイヤレス通信ネットワークのノードである。基地局は、ネットワークの１つ以上のセルを提供し及び／若しくは定義し、ネットワークの１つ以上のノードへ通信のための周波数及び／若しくは時間リソースを割り当て若しくはスケジューリングする、ように適合されてよく、そのリソースとは、具体的には、基地局とは異なるデバイス間の通信であり得る、例えばデバイスツーデバイス通信のためのＵＬリソースであってもよい。概して、そうした機能性を提供するように適合されるいかなるノードも基地局であると見なされてよい。考慮され得ることとして、基地局、又はより一般にネットワークノード、具体的には無線ネットワークノードは、ワイヤレス通信のための無線回路及び／又は制御回路を備える。想起され得ることとして、基地局又はネットワークノードは、具体的にはＬＴＥ／Ｅ−ＵＴＲＡといった１つ以上のＲＡＴのために適合される。無線回路は、例えば受信機デバイス及び／若しくは送信機デバイス並びに／又は送受信機デバイスを備え得る。制御回路は、マイクロプロセッサ、マイクロコントローラ、ＦＰＧＡ（Field-Programmable  Gate  Array）デバイス、及び／又はＡＳＩＣ（Application  Specific  Integrated  Circuit）デバイスを含み得るコントローラを含み得る。考慮され得ることとして、制御回路は、メモリを含み、及び／又はメモリへ接続され若しくは接続可能であってよく、メモリは、コントローラ及び／若しくは制御回路による読み取り並びに／又は書き込みのためにアクセス可能であるように適合され得る。基地局は、例えば直接的に関与するノード、補助的なノード及び／又は協調ノードとして、デバイスツーデバイス通信のために構成され、デバイスツーデバイス通信を可能化し、デバイスツーデバイス通信を促進し、及び／又はデバイスツーデバイス通信に関与するワイヤレス通信ネットワークのノードとして構成され得る。概して、基地局は、コアネットワークと通信し、１つ以上のユーザ機器へサービスを提供し及び／若しくは１つ以上のユーザ機器を制御し、並びに／又は、１つ以上のユーザ機器とコアネットワーク及び／若しくは他の基地局との間で通信及び／若しくはデータを中継し若しくはトランスポートする、ように構成されてもよく、近接性サービス対応型であってもよい。特にＬＴＥに従う基地局の一例として、ｅＮｏｄｅＢ（ｅＮＢ）が想起され得る。基地局は、概して、近接性サービス対応型であってもよく、及び／又は、対応するサービスを提供するものであってもよい。考慮され得ることとして、基地局は、拡張パケットコア（ＥＰＣ）へ接続され若しくは接続可能であるものとして構成され、並びに／又は、対応する機能性を提供し及び／若しくは接続するように構成される。基地局の機能性及び／又は複数の異なる機能が１つ以上の異なるデバイス、物理的なロケーション及び／又はノードにわたって分散されてもよい。基地局は、ワイヤレス通信ネットワークのノードであると見なされ得る。概して、基地局は��制御ノードとして構成され、及び／又は、具体的には２つのユーザ機器といった、ワイヤレス通信ネットワークの２つのノードの間の特にデバイスツーデバイス通信のためのリソースを割り当てる、ように構成されるものと見なされてもよい。
【００７５】
デバイスツーデバイス（Ｄ２Ｄ）通信又はＤ２Ｄ動作は、概して、ワイヤレス通信ネットワークの（そのための）複数のノード若しくはワイヤレスデバイスの間の通信への言及であってもよく、又は１つ以上のノードの対応する動作への言及であってもよく、それは、具体的にはＬＴＥ／Ｅ−ＵＴＲＡＮに従った、ネットワークの周波数スペクトル、周波数及び／又は時間リソースを利用し得る。その通信は、ワイヤレス通信であり得る。この文脈でのデバイスは、具体的にはユーザ機器又は基地局といった、ワイヤレス通信ネットワークのノードであってよい。デバイスツーデバイス通信は、具体的には、例えば２つ以上のユーザ機器など、少なくとも１つのユーザ機器が関与する通信であり得る。デバイスツーデバイス通信は、基地局、協調ノード若しくはリレーノードを介して中継され及び／又は提供されてもよく、それは、具体的には、コアネットワーク及び／若しくは基地局若しくは協調ノードよりも上位のネットワークのレイヤとのインタラクション無しで行われ、基地局若しくは制御ノードの関与無しで例えばユーザ機器などの２つのデバイスの間の直接的な通信であり、並びに／又は、基地局若しくは制御ノードが単に補助的なサービスを提供することによって行われてもよく、補助的なサービスとは、例えば、ユーザ機器間のデバイスツーデバイス通信向けに意図されたメッセージについての構成データ、送信構成又は関連情報を提供することなどである。Ｄ２Ｄ通信は、セルラーカバレッジの無い領域における２つのワイヤレスデバイスの間の通信であってもよく、及び／又は、セルラー若しくはモバイルネットワークとのインタラクション無しでの通信であってもよい。後者のケースでは、考慮され得ることとして、デバイスツーデバイス通信を実行するノード間で流れるデータ及び／又は信号は、基地局及び／又は制御ノードを介して転送されない。対照的に、セルラー通信の期間中では、概して、ｅＮＢ／基地局／協調ノードよりも上位のネットワークレイヤによる、具体的にはｅＮＢ／基地局／協調ノードへケーブル／地上線を介して接続し得るコアレイヤによる関与があり得る。デバイスツーデバイス通信の期間中に、メッセージが提供され、送信され及び／又は受信され得る。ワイヤレスデバイス若しくはＤ２Ｄ対応ノードと呼ばれ得る、デバイスツーデバイス通信のために構成されるデバイス及び／又はデバイスツーデバイス通信可能なデバイスは、例えばＬＴＥ／Ｅ−ＵＴＲＡの要件に従った、具体的には（ＰｒｏＳｅ対応型の）近接性サービスを有効化するように構成される、デバイスツーデバイス通信を提供するように構成される制御回路及び／又は無線回路を含み得る。Ｄ２Ｄ動作又はＤ２Ｄ通信、及びセルラー動作又はセルラー通信は、別個の動作タイプ若しくは動作モードであると見なされてよく、それらは概して、例えば割り当てられるリソース及び／又は同一のキャリアといった、利用可能なリソースの同一のプールからのリソースを用いて実行されてもよい。
【００７６】
記憶媒体は、データを記憶し、並びに／又は、制御回路及び／若しくはコンピューティングデバイスにより実行可能な命令群を記憶するように適合されてよく、その命令群は、制御回路及び／若しくはコンピューティングデバイスにより実行された場合に、当該制御回路及び／若しくはコンピューティングデバイスに、ここで説明した方法のうちのいずれか１つを遂行させ及び／若しくは制御させる。記憶媒体は、概してコンピュータ読取可能であって、例えば、光ディスク、磁気メモリ、揮発性若しくは不揮発性メモリ、フラッシュメモリ、ＲＡＭ、ＲＯＭ、ＥＰＲＯＭ、ＥＥＰＲＯＭ、バッファメモリ、キャッシュメモリ及び／又はデータベースなどであり得る。
【００７７】
リソース又は通信リソースは、概して、周波数及び／又は時間リソースであってよい。割り当てられ又はスケジューリングされるリソースは、具体的には１つ以上のキャリア、帯域幅及び／若しくはサブキャリアに関する情報などの周波数関連の情報、具体的にはフレーム、スロット及び／若しくはサブフレームに関する情報などの時間関連の情報、並びに／又は、リソースに関する情報及び／若しくは時間／周波数ホッピングの情報を含み及び／又はそうした情報を参照してもよい。割り当てられるリソースとは、具体的には、例えば第１のワイヤレスデバイスが第２のワイヤレスデバイスへ及び／又は第２のワイヤレスデバイス向けに送信するためのＵＬリソースなど、ＵＬリソースへの言及であってもよい。割り当てられるリソース上での送信及び／又は割り当てられるリソースの利用は、例えば、指示される周波数、サブキャリア、キャリア及び／又は時間スロット若しくはサブフレーム上など、割り当てられるリソース上でデータを送信すること、を含んでよい。概して考慮され得ることとして、割り当てられるリソースは、解放されてもよく、及び／又は割り当て解除されてもよい。ネットワーク又はネットワークのノード、例えば割り当てノードは、具体的には第１のワイヤレスデバイスなど、１つ以上のワイヤレスデバイスへ、リソースの開放又は割り当て解除を示す対応する割り当てデータを決定し及び／又は送信する、ように適合されてもよい。それに応じて、Ｄ２Ｄリソース割り当てが、ネットワークにより及び／又はノードにより実行されてもよく、ノードとは、具体的には、Ｄ２Ｄ通信に参加している若しくは参加することを意図しているワイヤレスデバイスをカバーするセルラーネットワーク内のノード若しくは当該セルラーネットワークのセル内のノードであり得る。
【００７８】
割り当てデータは、制御ノード若しくは割り当てノードにより割り当てられるリソースを指し示し及び／又は許可するデータであると見なされてもよく、具体的には、ワイヤレスデバイスのためのＤ２Ｄ通信向けにどのリソースが予約され若しくは割り当てられたかを識別し若しくは指し示すデータ、ワイヤレスデバイスがＤ２Ｄ通信のためにどのリソースを使用し得るかを識別し若しくは指し示すデータ、並びに／又は、リソースの許可若しくは解放を指し示すデータなどであり得る。許可又はリソース許可は、割り当てデータの１つの例であると見なされてもよい。考慮され得ることとして、割り当てノードは、ノードへ直接的に、並びに／又は、例えばリレーノード及び／若しくは他のノード若しくは基地局を介して間接的に、割り当てデータを送信する、ように適合される。割り当てデータは、具体的には、例えばＬＴＥなどの標準において定義され得る、予め定義されるフォーマット、例えばＤＣＩフォーマットに従って、制御データを含み、並びに／又は、メッセージの一部をなし若しくは形成してもよい。
【００７９】
本説明の文脈において、ワイヤレスデバイスは、例えばＬＴＥ標準に従ったシステムなど、具体的にはセルラー及び／若しくはライセンスされた通信システムの周波数及び／又はリソースを用いて、概してＤ２Ｄ通信及び／若しくはＤ２Ｄ動作が可能なデバイスであってよく、Ｄ２Ｄ対応型若しくはＤ２Ｄ可能なＵＥ若しくはノードとしても言及され得る。ワイヤレスデバイスは、直接的な無線リンク上で、即ち当該エンティティと他のＤ２Ｄ可能なエンティティ若しくはワイヤレスデバイスとの間で少なくとも無線信号を受信し及び／若しくは送信することの可能ないかなるエンティティ、機器、デバイス又はノードを含んでもよい。ワイヤレスデバイス又はワイヤレスデバイスは、例えば、セルラーＵＥ，ＰＤＡ、ワイヤレスデバイス、ラップトップ、移動機、センサ、中継機、Ｄ２Ｄ中継機、ＵＥライクなインタフェースを採用したスモール基地局などに含まれてもよく、又はそれらを含んでもよい。少なくとも１回のＤ２Ｄ動作をサポートし及び／若しくは実行することの可能な任意のデバイス又はエンティティはワイヤレスデバイスであると見なされてよく、ワイヤレスデバイスは、少なくとも１回のＤ２Ｄ動作をサポートし及び／若しくは実行する、ように適合されてよい。ワイヤレスデバイスは、概して、ワイヤレス通信ネットワークにおけるセルラー動作及び／又はセルラー通信のために適合され得る。考慮され得ることとして、ワイヤレスデバイスは、概して、具体的にはＤ２Ｄ動作又はＤ２Ｄ通信及びセルラー動作又はセルラー通信といった、ワイヤレス通信のための無線回路及び／又は制御回路を備える。ワイヤレスデバイスは、例えば制御回路などのハードウェアデバイスにより実行可能であり並びに／又は例えばＵＥ若しくは端末のメモリ内に記憶可能なように構成されるソフトウェア／プログラム構成を含んでもよく、ソフトウェア／プログラム構成は、例えばＵＥ若しくは端末へ、Ｄ２Ｄの機能性及び／又は対応する制御の機能性を提供し得る。
【００８０】
Ｄ２Ｄ動作は、Ｄ２Ｄ若しくはＤ２Ｄ通信に関連する任意のアクション又はアクティビティを含んでもよく、Ｄ２Ｄ通信と互換可能に使用されてよい。Ｄ２Ｄ動作は、例えば、Ｄ２Ｄ目的のために及び／若しくはＤ２Ｄ動作において信号／チャネルタイプ若しくはデータを送受信すること、Ｄ２Ｄ通信の手段によりデータを送受信すること、Ｄ２Ｄ目的のために制御若しくは補助データを送受信すること、Ｄ２Ｄのための制御若しくは補助データを求めるリクエストを送受信すること、Ｄ２Ｄ動作モードを選択すること、Ｄ２Ｄ動作を開始／スタートすること、セルラー動作モードからＤ２Ｄ動作モードへ切り替えること、並びに、Ｄ２Ｄ用の１つ以上のパラメータで受信機若しくは送信機を構成すること、を含んでもよい。
【００８１】
Ｄ２Ｄ動作は、Ｄ２Ｄに関連するデータを用いて、商業目的のため、又は公衆の安全をサポートするものであってもよい。Ｄ２Ｄ動作は、何らかのＤ２Ｄサービスに固有であってもなくてもよい。Ｄ２Ｄ受信動作がＤ２Ｄ動作そのもの又はそれに含まれてもよく、１つの例において、それはＤ２Ｄ受信動作ではないものにも関与し得る。Ｄ２Ｄ動作は、概して、ワイヤレスデバイス又はＵＥにより実行され又は実行可能であり得る。Ｄ２Ｄ受信動作は、ワイヤレスデバイスにより、Ｄ２Ｄデータ及び／又は信号を受信すること、を含み得る。Ｄ２Ｄ送信動作は、ワイヤレスデバイスにより、Ｄ２Ｄデータ及び／又は信号を送信すること、を含み得る。少なくとも１回のＤ２Ｄ動作を実行するワイヤレスデバイスは、Ｄ２Ｄ中であり、Ｄ２Ｄモードであり、又はＤ２Ｄ動作中であるものと見なされてよい。Ｄ２Ｄ動作は、Ｄ２Ｄ測定を含んでもよい。
【００８２】
Ｄ２Ｄ測定は、Ｄ２Ｄ目的のために実行され、Ｄ２Ｄ信号／チャネル上で実行され、Ｄ２Ｄ動作及び／若しくは通信に関して実行される、例えばワイヤレスデバイスにより実行される測定であってよい。Ｄ２Ｄ測定は、Ｄ２Ｄ  ＲＲＭ測定、Ｄ２Ｄ測位測定、Ｄ２Ｄ同期測定、Ｄ２Ｄ同期信号についての測定、Ｄ２Ｄリファレンス信号についての測定、Ｄ２Ｄチャネルについての測定、信号対雑音測定、信号強度測定、信号品質測定（具体的には、受信信号強度、受信信号品質、ＲＬＭ、同期、一方向及び／若しくは２方向のタイミング測定）、ＲＴＴ、Ｒｘ−Ｔｘ若しくは類似の測定、チャネル復号若しくは受信の成功若しくは不成功の回数の測定、データスループット測定、送信され及び／若しくは受信されるデータ量の測定、請求関連の測定、のうちの任意の１つ又は任意の組み合わせを含んでよく、Ｄ２Ｄ通信及び／又はＤ２Ｄ動作に関してこれら測定が実行され得る。
【００８３】
（具体的には、ワイヤレスデバイス又はＵＥによる）セルラー動作は、セルラーネットワーク（任意の１つ以上のＲＡＴ）に関連するいかなるアクション又はアクティビティを含んでもよい。セルラー動作のいくつかの例は、無線信号の送信、無線信号の受信、無線測定の実行、モビリティ動作若しくはセルラーネットワークに関連するＲＲＭの実行であり得る。
【００８４】
Ｄ２Ｄ送信信号又は通信信号は、ワイヤレスデバイス若しくはデバイスによる、及び／又は、Ｄ２Ｄ動作、Ｄ２Ｄモード又はＤ２Ｄ通信における、いかなる送信信号若しくは通信信号であってもよい。Ｄ２Ｄ送信信号のいくつかの例は、例えば、リファレンス信号、同期信号、ディスカバリチャネル、制御チャネル、データチャネル、ブロードキャストチャネル、ページングチャネル、スケジューリング割り当て（ＳＡ）送信信号など、専用若しくは共通／共有の、物理信号若しくは物理チャネル、を含み得る。ダイレクト無線リンク上のＤ２Ｄ送信は、他のワイヤレスデバイスによる受信のために意図され得る。Ｄ２Ｄ送信は、ユニキャスト、グループキャスト又はブロードキャスト送信であってよい。Ｄ２Ｄ送信は、ワイヤレス通信システムのアップリンク時間−周波数リソース上で行われてもよい。
【００８５】
ネットワークノードは、セルラー通信及び／又はＤ２Ｄ通信のためにワイヤレスデバイスへ接続され若しくは接続可能な制御ノードであり得る。制御ノードは、具体的にはＤ２Ｄ動作に関する測定及び／又はデータのレポーティングに関連して、ワイヤレスデバイスを構成するその機能性によって定義され得る。制御ノードは、セルラー通信若しくは送信、及びＤ２Ｄ通信若しくは送信のうちの少なくとも１つのために使用されるべき時間−周波数リソースを少なくとも部分的にスケジューリングし、決定し、選択し、及び／又は割り当てるために適合されるネットワークノードであり得る。制御ノードは、他のワイヤレスデバイス、クラスタヘッド、ｅＮｏｄｅＢなどの無線ネットワークノード、ネットワークノード（例えば、コアネットワークノード）、ＭＭＥ、測位ノード、Ｄ２Ｄサーバ、ＲＮＣ、ＳＯＮなどといった、他のノードへスケジューリング情報を提供してもよい。当該ネットワークノード又は制御ノードは、無線ネットワークノードであってもよく、無線ネットワークノードと通信してもよい。想起され得ることとして、制御ノードは、協調を実行してもよく、並びに／又は、１つ以上のワイヤレスデバイス若しくはＵＥのための制御を行ってもよい。協調及び／又は制御は、集中化されたやり方又は分散的なやり方で行われてよい。制御ノードは、割り当てノード及び／又は協調ノードとして言及されてもよい。
【００８６】
ネットワークデバイス、ノード及び／又はワイヤレスデバイスは、例えば制御回路などのハードウェアデバイスにより実行可能であり並びに／又はメモリ内に記憶可能なように構成されるソフトウェア／プログラム構成を含んでもよく、ソフトウェア／プログラム構成は、Ｄ２Ｄの機能性及び／又は対応する制御の機能性を提供し得る。
【００８７】
セルラーネットワーク又はモバイル若しくはワイヤレス通信ネットワークは、例えば、ＬＴＥネットワーク（ＦＤＤ若しくはＴＤＤ）、ＵＴＲＡネットワーク、ＣＤＭＡネットワーク、ＷｉＭＡＸ、ＧＳＭネットワーク、又は、セルラー動作のための何らかの１つ以上の無線アクセス技術（ＲＡＴ）を採用する任意のネットワークを含んでよい。ここでの説明は、ＬＴＥ向けに与えられているが、ＬＴＥ  ＲＡＴには限定されない。
【００８８】
ＲＡＴ（無線アクセス技術）は、概して、例えばＬＴＥ  ＦＤＤ、ＬＴＥ  ＴＤＤ、ＧＳＭ、ＣＤＭＡ、ＷＣＤＭＡ、ＷｉＦｉ、ＷＬＡＮ、ＷｉＭＡＸなどを含んでよい。
【００８９】
ネットワークノードは、概して、（例えばワイヤレスデバイス又はＵＥとのワイヤレス通信又は無線通信のために適合され得る）無線ネットワークノード又は他のネットワークノードであってよい。ネットワークノードは、概して、制御ノードであってもよい。無線ネットワークノード又は制御ノードのいくつかの例は、具体的にはｅＮｏｄｅＢといった無線基地局、リレーノード、アクセスポイント、クラスタヘッド、ＲＮＣなどである。無線ネットワークノードは、モバイル通信ネットワークに含まれてよく、セルラー動作若しくはセルラー通信、及び／又はＤ２Ｄ動作若しくはＤ２Ｄ通信をサポートし、及び／又はそのために適合され得る。
【００９０】
ネットワークノード、具体的には無線ネットワークノードは、具体的にはワイヤレス通信のための、無線回路及び／又は制御回路を備えてよい。無線ネットワークノードではないネットワークノードのいくつかの例は、コアネットワークノード、ＭＭＥ、ワイヤレスデバイスのモビリティを少なくとも部分的に制御するノード、ＳＯＮノード、Ｏ＆Ｍノード、測位ノード、サーバ、アプリケーションサーバ、（Ｄ２Ｄ関連機能の全てではないとしてもいくつかが可能であり得る）Ｄ２Ｄサーバ、ＰｒｏＳｅ機能を含むノード、ＰｒｏＳｅサーバ、外部ノード、又は他のネットワークに含まれるノード、を含み得る。いかなるネットワークノードも、制御回路及び／又はメモリを含んでよい。
【００９１】
ネットワークノードは、サービス対象のノード、ワイヤレスデバイス又はＵＥへセルラーネットワークのセルを提供している場合、送信、受信、ＵＬデータ交換若しくはデータ送信、及び／若しくはＤＬデータ交換若しくはデータ送信を介して、及び／若しくはそのために、ワイヤレスデバイス若しくはＵＥへ接続され又は接続可能である場合、並びに／又は、ワイヤレスデバイス若しくはＵＥへ、割り当てデータ、構成データ、及び／若しくは測定性能特性を提供するように、及び／若しくはワイヤレスデバイス若しくはＵＥを構成するように適合される場合に、ワイヤレスデバイス又はＵＥへサービスしているものと見なされてよい。
【００９２】
ワイヤレスデバイスは、概して、具体的には送信及び／若しくは受信並びに／又は少なくとも１種類のＤ２Ｄ動作といった、Ｄ２Ｄ通信を実行するように適合されるノード又はデバイスであってよい。具体的には、ワイヤレスデバイスは、端末、ユーザ機器、Ｄ２Ｄ対応マシン、及び／又はセンサであってもよい。ワイヤレスデバイスは、割り当てデータに基づいて、具体的には割り当てデータにおいて示されるリソース上で及び／又は当該リソースを利用して、Ｄ２Ｄデータを送受信するように適合されてよい。ワイヤレスデバイスによるＤ２Ｄ通信及び／又はＤ２Ｄ送信は、概して、ＵＬリソース、並びに／又は、対応するキャリア若しくは周波数及び／若しくは変調においてなされ得る。（ＵＥなどの）ワイヤレスデバイスは、ＣＡ若しくはＣＡ動作のために適合され、及び／又はそれが可能であってもよい。具体的には、ワイヤレスデバイスは、１つ以上のＣＣを送信し、受信し、及び／若しくは利用し、並びに／又は、キャリアアグリゲーションに参加する、ように適合され得る。ワイヤレスデバイスは、構成データに従って自身を構成し及び／又は構成されるように適合されてよく、それは、リソースを、及び／若しくは受信及び／若しくは送信のための機器をセットアップし及び／若しくはスケジューリングし、並びに／又はリソースを共有すること、を含んでもよく、具体的には、構成データに基づくＤ２Ｄ動作及び／又はセルラー動作を含んでもよい。構成データは、他のノード又はワイヤレスデバイス、具体的にはネットワークノードから、ワイヤレスデバイスにより受信され得る。
【００９３】
ネットワークノードは、概して、構成データを提供し、決定し、及び／又は、具体的にはワイヤレスデバイスへ送信する、ように適合されてよい。構成データは、ある形式の割り当てデータであると見なされてもよく、メッセージ及び／又はデータパケットの形式で提供されてもよい。ワイヤレスデバイス又はＵＥを構成すること、例えばネットワークノードによりノードを構成することは、構成データを決定し、及び／又は、構成されるべきノード、即ちワイヤレスデバイス又はＵＥへ構成データを送信すること、を含んでもよい。構成データを決定すること及びそのデータをワイヤレスデバイス又はＵＥへ送信することは、様々なノードにより実行されてよい。それらノードは、構成データを互いに通信し及び／又はトランスポートし得るように配置されてよく、具体的には、構成データを決定し又は決定するように適合されるノードがその構成データをさらに送信し又は送信するように適合されるノードへ送信し得るように配置されてもよく、後者のノードは、構成データを受信し、中継し、及び／又は、構成データに基づいてメッセージを提供するように適合されてもよく、それは例えば受信したデータを再フォーマットし、補正し、及び／又は更新することによりなされてもよい。
【００９４】
ワイヤレスデバイス又はＵＥのセルラーＤＬ動作及び／又は通信は、具体的にはセルラー動作における及び／又はネットワークノード／ｅＮＢ／基地局からの、ＤＬにおける送信信号を受信することへの言及であってよい。ワイヤレスデバイス又はＵＥのセルラーＵＬ動作は、具体的にはセルラー動作における、例えば、ネットワーク又はネットワークノード／ｅＮＢ／基地局への送信などのＵＬ送信への言及であってよい。
【００９５】
図中に示したワイヤレスデバイス又はユーザ機器の各々又はいずれか１つが、ここで説明したユーザ機器又はワイヤレスデバイスにより遂行されるべき方法を実行するように適合されてよい。代替的に又は追加的に、図中に示したワイヤレスデバイス又はユーザ機器の各々又はいずれか１つが、ここで説明したユーザ機器又はワイヤレスデバイスの特徴のいずれか１つ又は何らかの組み合わせを含んでもよい。図中に示したネットワークノード、制御ノード、ｅＮＢ又は基地局の各々又はいずれか１つが、ここで説明したネットワークノード又は基地局により遂行されるべき方法を実行するように適合されてよい。代替的に又は追加的に、図中に示した制御ノード、ネットワークノード、ｅＮＢ又は基地局の各々又はいずれか１つが、ここで説明したネットワークノード、ｅＮＢ又は基地局の特徴のいずれか１つ又は何らかの組み合わせを含んでもよい
【００９６】
使用されているいくつかの略語は次の通りである：
３ＧＰＰ          3rd  Generation  Partnership  Project
Ａｃｋ／Ｎａｃｋ  Acknowledgment/Non-Acknowledgement；A/Nともいう
ＡＰ              Access  point
ＢＥＲ／ＢＬＥＲ  Bit  Error  Rate,  BLock  Error  Rate
ＢＳ              Base  Station
ＣＡ              Carrier  Aggregation
ＣｏＭＰ          Coordinated  Multiple  Point  Transmission  and  Reception
ＣＱＩ            Channel  Quality  Information
ＣＲＳ            Cell-specific  Reference  Signal
ＣＳＩ            Channel  State  Information
ＣＳＩ−ＲＳ      CSI  reference  signal  
Ｄ２Ｄ            Device-to-device  
ＤＬ              Downlink
ＥＰＤＣＣＨ      Enhanced  Physical  DL  Control  CHannel
ＤＬ              Downlink；具体的には基地局又はｅＮｏｄｅＢからワイヤレスデバイス又はＵＥへのように、概して（物理的及び／又は論理的に）ネットワークコアからさらに離れる方向／ノードへのデータの送信をいう。ＵＬとは異なる特定のスペクトル／帯域幅を使用することが多い（例えば、ＬＴＥ）
ｅＮＢ            evolved  NodeB；基地局の一形式であり、ｅＮｏｄｅＢともいう
Ｅ−ＵＴＲＡ／Ｎ  Evolved  UMTS  Terrestrial  Radio  Access/Networ；ＲＡＴの一例
f1,f2,f3,…,fn    キャリア／キャリア周波数；異なる数字は異なるキャリア／周波数が参照されることを示し得る
f1_UL,…,fn_UL    アップリンク用キャリア／アップリンク周波数又は帯域内のキャリア
f1_DL,…,fn_DL    ダウンリンク用キャリア／ダウンリンク周波数又は帯域内のキャリア
ＦＤＤ            Frequency  Division  Duplexing
ＩＤ              Identity
ＩＭＳＩ          International  Mobile  Subscriber  Identity
Ｌ１              Layer  1
Ｌ２              Layer  2
ＬＴＥ            Long  Term  Evolution；電気通信又はワイヤレス若しくはモバイル通信標準
ＭＡＣ            Medium  Access  Control
ＭＢＳＦＮ        Multiple  Broadcast  Single  Frequency  Network
ＭＤＴ            Minimisation  of  Drive  Test
ＭＰＣ            Measurement  Performance  Characteristic
ＮＷ              Network
ＯＦＤＭ          Orthogonal  Frequency  Division  Multiplexing
Ｏ＆Ｍ            Operational  and  Maintenance
ＯＳＳ            Operational  Support  Systems
ＰＣ              Power  Control
ＰＤＣＣＨ        Physical  DL  Control  CHannel
ＰＨ              Power  Headroom
ＰＨＲ            Power  Headroom  Report
ＰＬＭＮ          Public  Land  Mobile  Network
ＰｒｏＳｅ        Proximity  Service/s；Ｄ２Ｄ向けの別名
ＰＳＳ            Primary  Synchronization  Signal
ＰＵＳＣＨ        Physical  Uplink  Shared  CHannel
ＲＡ              Random  Access
ＲＡＣＨ          Random  Access  CHannel
ＲＡＴ            Radio  Access  Technology
ＲＥ              Resource  Element
ＲＢ              Resource  Block
ＲＲＨ            Remote  radio  head
ＲＲＭ            Radio  Resource  Management
ＲＲＵ            Remote  radio  unit
ＲＳＲＱ          Reference  signal  received  quality
ＲＳＲＰ          Reference  signal  received  power  
ＲＳＳＩ          Received  signal  strength  indicator
ＲＸ              reception/receiver,  reception-related
ＳＡ              Scheduling  Assignment
ＳＩＮＲ／ＳＮＲ  Signal-to-Noise-and-Interference  Ratio;  Signal-to-Noise  Ratio
ＳＦＮ            Single  Frequency  Network  
ＳＯＮ            Self  Organizing  Network
ＳＳＳ            Secondary  Synchronization  Signal
ＴＰＣ            Transmit  Power  Control
ＴＸ              transmission/transmitter,  transmission-related
ＴＤＤ            Time  Division  Duplexing
ＵＥ              User  Equipment
ＵＩＣＣ          Universal  Integrated  Circuit  Card；ＵＥ内でモバイル／セルラー通信のために使用されるカード
ＵＬ              Uplink；具体的にはワイヤレスデバイス又はＵＥから基地局又はｅＮｏｄｅＢへのように、概して（物理的及び／又は論理的に）ネットワークコアへ近付く方向／ノードへのデータの送信をいう。Ｄ２Ｄの文脈では、セルラー通信におけるｅＮＢへのＵＬ通信のために使用されるものと同じであり得る、Ｄ２Ｄにおける送信のために利用されるスペクトル／帯域幅への言及であり得る。あるＤ２Ｄの派生において、Ｄ２Ｄ通信に関与する全てのデバイスによる送信は、ある派生において概してＵＬスペクトル／帯域幅／キャリア／周波数内であり得る。
【００９７】
ＬＴＥ標準の定義に従って、これら及び他の略語が使用されているかもしれない。
【００９８】
本説明において、限定ではなく説明の目的のために、（具体的なネットワーク機能、処理及びシグナリングステップといった）特定の詳細がここで呈示される技法の完全な理解を提供するために示されている。本概念及び複数の側面がそれら特定の詳細から離れた他の実施形態及び派生において実践されてもよいことが当業者にとって明らかであろう。例えば、本概念及び派生は、部分的にＬＴＥ（Long  Term  Evolution）又はＬＴＥ−Ａ（LTE-Advanced）モバイル／ワイヤレス通信技術の文脈で説明されている。しかしながら、これは、本概念及び複数の側面を、ＧＳＭ（Global  System  for  Mobile  Communications）といった追加的な又は代替的なモバイル通信技術との関連で使用することを排除するものではない。以下の実施形態は、部分的には３ＧＰＰ（Third  Generation  Partnership  Project）のある技術仕様（ＴＳ）を基準として説明されているが、本概念及び複数の側面が異なる性能管理（ＰＭ）仕様との関連で実現されることもできることは理解されるであろう。
【００９９】
そのうえ、当業者は、ここで説明したサービス、機能及びステップを、プログラミングされるマイクロプロセッサと連携して機能するソフトウェアを用いて、又はＡＳＩＣ（Application  Specific  Integrated  Circuit）、ＤＳＰ（Digital  Signal  Processor）、ＦＰＧＡ（Field  Programmable  Gate  Array）若しくは汎用コンピュータを用いて実装してもよいことを理解するであろう。また、ここで説明した実施形態は複数の方法及びデバイスの文脈で解明されているが、ここで呈示した概念及び側面は、プログラムプロダクトとして、及び、例えばコンピュータプロセッサ及びプロセッサへ連結されるメモリなどの制御回路を含むシステムとして具現化されてもよいことが理解されるであろう。メモリは、ここに開示したサービス、機能及びステップを実行する１つ以上のプログラム又はプログラムプロダクトと共にエンコードされる。
【０１００】
考えられることとして、ここで呈示した複数の側面及び派生の利点は、上述した説明から十分に理解されるであろう。また、ここで説明した概念及び側面の範囲から逸脱することなく、その有利な効果の全てを犠牲にすることなく、それらの例示的な側面の形式、構造及び構成において多様な変更をなしてもよいことが明らかであろう。ここで呈示した側面を多くの手法で変化させることができるため、保護のいかなる範囲も、本説明により限定されることなく、以下に続く特許請求の範囲のスコープによって定義されるべきであることが認識されるであろう。
【図１】
2017536739.tif 000003
【図２】
2017536739.tif 000004
【図３】
2017536739.tif 000005
【図４】
2017536739.tif 000006
【図５】
2017536739.tif 000007
【図６】
2017536739.tif 000008
【図７】
2017536739.tif 000009
【図８】
2017536739.tif 000010
【国際調査報告】
2017536739.tif 000011
2017536739.tif 000012